Podtech/llm-jp-corpus-v4-ja_patent huggingface dataset:
(57)【要約】      （修正有）【課題】紙質が上質で、高級感のある郵便ハガキを提供する。【解決手段】１０種類のブランド糸を溶かして、その繊維を用いて製紙する。その紙を用いてハガキを作成する。該作成したハガキにブランド名マークを付ける。マークは複数付けられ、切手部にもブランド名マークを付ける。これらのブランド名マークにより、上品質で高級感のあるハガキができあがる。【選択図】図１
2013180572.tif 000002
【特許請求の範囲】
【請求項１】
紙を作るのにブランド糸を使用したことを特徴とするブランドハガキ。
【請求項２】
ブランド糸を使用することによりブランドマークを付けることを特徴とする請求項１記載のブランドハガキ。
【発明の詳細な説明】
【技術分野】
【０００１】この発明はブランド糸を溶かして紙にしてハガキの形状に関する
【背景技術】
【０００２】従来のハガキ等に用いる紙よりも上等なハガキの形状は図２に示すように従来のハガキと同じ大きさのものである。
【先行技術文献】
【特許文献】
【０００３】
【特許文献１】特開
【非特許文献】
【０００４】
【非特許文献１】
【発明の概要】
【発明が解決しようとする課題】
【０００５】しかしながら以上の技術によれば紙が上等でなかったためブランド名が付いてなく長年同じ紙質によるものであった。
そこでこの発明は紙が上等な糸から出来ておりブランド名が付いているハガキを提供することを課題とする。
【課題を解決するための手段】
【０００６】以上の課題を解決するために第一発明はブランド糸を溶かして紙にしてハガキにしたことを特徴とするブランドハガキである。
また第二発明はブランド名を１０種類使用するブランドハガキにしたことを特徴とする。
【発明の効果】
【０００７】第一発明または第２発明によればブランド糸を使用することにより従来の物より上等な紙質による官製ハガキが出来上がる。
【図面の簡単な説明】
【０００８】
【図１】この発明の形態を示す正図である
【図２】従来の形態を示す正図である。
【発明を実施するための形態】
【０００９】この発明の形態を図１に示す。
ブランドハガキの本体はブランド糸から出来ておりこの本体の大きさは従来の官製ハガキと同じ大きさである。
【００１０】形態の効果
この形態によれば今までと大きさは変わらないのですが紙質が上等になることによりブランド名が付き今までのハガキよりも良い紙質のブランドハガキが出来上がる。
他の形態
図１の形態ではマークが付いていない物であるが他の形態ではマークを多く付けた物でも良い。
【産業上の利用可能性】
【０００＊】
【符号の説明】
【００１０】１  ブランドハガキ本体      ２  マーク
３  切手
【受託番号】
【図１】
2013180572.tif 000003
【図２】
2013180572.tif 000004
【図３】
2013180572.tif 000005
【手続補正書】
【提出日】平成24年8月15日(2012.8.15)
【手続補正２】
【補正対象書類名】明細書
【補正対象項目名】０００８
【補正方法】変更
【補正の内容】
【０００８】
【図１】ハガキのサイズ横１０ｃｍ縦１５ｃｍのブランドハガキはブランド糸を溶かして紙にしたものである
【図２】ブランドハガキにマークを付けて１０種類のブランド名で１０色で販売予定ですブランド名はアメリカのブランド８種類  エルＥＬＬＥ  イザベルマランＩＳＡＢＥＬ  ＭＡＲＡＮ  キットソンＫｉｔＳＯＮ  ホリスターＨＯｌｌＹＳｔｅｒ  マークＢＹマークジェイコブスＭＡＲＣ  ＢＹ  ＭＡＲＣ  ＪＡＣＯＢＳ  ラルフローレンＲａｌｐｈ  Ｌａｕｒｅｎ  ジルスチュアートＪＩＬＬ  ＳＴＵＡＲＴ  ダナキャランＤＯＮＮＡ  ＫＡＲＡＮ  フランスのブランド２種類  クリスチャンディオールＣｈｒｉｓｔｉａｎ  Ｄｉｏｒ  シャネルＣＨＡＮＥＬのブランドの１０種類です
【図３】説明  ブランドハガキを１０種類で販売予定です  値段はシャネル６００円  クリスチャンディオール５００円  エル４５０円  ラルフローレン４５０円  ダナキャラン４５０円  ジルスチュアート４００円  イザベルマラン３５０円  キットソン３５０円  ホリスター３５０円  マークＢＹマークジェイコブス３５０円でブランドハガキを販売を予定しています  ブランドハガキ１０種類を１０色  青・赤・黄・緑・むらさき・白・紺・茶・桃色・だいだい色の１０色です  ブランドハガキはブランド糸を溶かして紙にしてブランドハガキが出来あがりブランドハガキにブランドのマークを付けて１０種類１０色で３５０円〜６００円で販売予定し販売して頂く内容です。
(57)【要約】【課題】本発明は、雑誌やファイル、書類などを留めて自立させ、机の上やテーブルの上に置くことができる構造のクリップ型バインダーを提供することを課題とする。【解決手段】本発明の板バネを半円状に丸く曲げて成型し、雑誌やファイル、書類などを留めることができるクリップ型バインダー本体１は、板バネを半円状に丸く曲げて、雑誌やファイル、書類などを入れて留める空間３を設けて、半円状に丸く折り返し、折り返した先は雑誌やファイル、書類などを挿入しやすくするために、外側に丸く曲げて開くように成型した２を設けるようにした。【選択図】図３
2013180571.tif 000002
【特許請求の範囲】
【請求項１】
板バネを半円状に丸く曲げて成型し、雑誌やファイル、書類などを入れる空間を設け、半円状に丸く曲げて折り返し、折り返した先は雑誌やファイル、書類などを挿入しやすくするために、外側に丸く曲げて開くように成型するようにしたクリップ型バインダーに関するものである。
【発明の詳細な説明】
【技術分野】
【０００１】  本発明は、板バネを半円状に丸く曲げて成型し、雑誌やファイル、書類などを入れる空間を設け、留めることで雑誌やファイル、書類などを自立させることができるクリップ型バインダーに関するものである。
【背景技術】
【０００２】  従来、雑誌やファイル、書類などは、本棚、ブックエンド、マガジンラックに立てて収納していたが、読みかけの雑誌や使用中のファイル、書類などは、わざわざ収納するには面倒である。また、机の上やテーブルの上に置くには、寝かせて置くことになるため机の上やテーブルの上が狭くなるといった問題があった。
【発明の開示】
【発明が解決しようとする課題】
【０００３】  本発明は、上述の問題点を解決するために雑誌やファイル、書類などを留めて自立させて、机の上やテーブルの上に置くことができる構造のクリップ型バインダーを提供することを課題とする。
【課題を解決するための手段】
【０００４】  本発明のクリップ型バインダーは、板バネを半円状に丸く曲げて成型し、雑誌やファイル、書類などを入れる空間を設け、半円状に丸く曲げて折り返し、折り返した先は雑誌やファイル、書類などを挿入しやすくするために、外側に丸く曲げて開くように成型するようにした。
【発明の効果】
【０００５】  本発明によれば、板バネを半円状に丸く曲げて成型し、雑誌やファイル、書類などを留めて自立することができるクリップ型バインダーは、雑誌やファイル、書類などを入れると半円状になることで自立し、机の上やテーブルの上に置いても、机の上やテーブルの上が狭くなることはない。また、クリップ型バインダーで留めた雑誌やファイル、書類などは自立した状態で並べることができ、整理がしやすく、見た目にも綺麗でディスプレーにもなる。
【発明を実施するための最良の形態】
【０００６】  以下、図面を参照しつつ、本発明の実施形態について詳細に説明する。ここで、図１は本発明の実施の形態に係る、板バネを半円状に丸く曲げて成型し、雑誌やファイル、書類などを留めて自立することができるクリップ型バインダー本体１と、板バネを半円状に丸く曲げて成型し、雑誌やファイル、書類などを入れる空間３、半円状に丸く曲げて折り返した先は雑誌やファイル、書類などを挿入しやすくするために、外側に丸く曲げて開くように成型した２を示す上図、図２は本発明の実施の形態に係る、板バネを半円状に丸く曲げて成型し、雑誌やファイル、書類などを留めて自立することができるクリップ型バインダー本体１と、板バネを半円状に丸く曲げて、折り返した先は雑誌やファイル、書類などを挿入しやすくするために、外側に丸く曲げて開くように成型した２を示す正面図、図３は本発明の実施の形態に係る、板バネを半円状に丸く曲げて成型し、雑誌やファイル、書類などを留めて自立することができるクリップ型バインダー本体１と、板バネを半円状に丸く曲げて、雑誌やファイル、書類などを入れる空間３を設けて、半円状に丸く曲げて折り返した先は雑誌やファイル、書類などを挿入しやすくするために、外側に丸く曲げて開くように成型した２を示す斜視図である。【０００７】  図４は本発明の実施の形態に係る、板バネを半円状に丸く曲げて成型し、雑誌やファイル、書類などを留めて自立することができるクリップ型バインダー本体１に、雑誌４を入れて自立させた使用例を示す斜視図である。本発明の実施の形態に係る、板バネを半円状に丸く曲げて成型し、雑誌やファイル、書類などを留めて自立することができるクリップ型バインダーは、ステンレスやアルミニウムなどの金物あるいは、ポリエチレン、ポリプロピレン、塩化ビニール、エチレン・アクリル酸エチル樹脂などの熱可塑性樹脂を射出成形することにより成り、また図１の本発明の実施の形態に係る、雑誌やファイル、書類などを入れて留める空間３を広く成型することで、雑誌やファイル、書類を複数留めて自立させることができる。
【産業上の利用可能性】
【０００８】  本発明に係る板バネを半円状に丸く曲げて成型し、雑誌やファイル、書類などを留めて自立することができるクリップ型バインダーは、工業的に量産することが可能であるため、産業上の利用可能性を有する。
【図面の簡単な説明】
【０００９】
【図１】本発明のクリップ型バインダーを示す上図である。
【図２】本発明のクリップ型バインダーを示す正面図である。
【図３】本発明のクリップ型バインダーを示す斜視図である。
【図４】本発明のクリップ型バインダーの使用例を示す斜視図である。
【符号の説明】
【００１０】１    クリップ型バインダー本体
２    雑誌やファイル、書類などを挿入しやすくするために、外側に丸く曲げて開くよう      に成型した部位
３    雑誌やファイル、書類などを入れる空間
４    雑誌
【図１】
2013180571.tif 000003
【図２】
2013180571.tif 000004
【図３】
2013180571.tif 000005
【図４】
2013180571.tif 000006
(57)【要約】【課題】  ベビーカーのハンドル部分に荷物を吊り下げた場合、その荷物の重みや前後の揺れで、ベビーカーが後方へ転倒する危険性がある。【解決手段】  本製品のベビーカー用バッグはベビーカーのハンドル部に吊り下げると共に、ベビーカー前下方部のフレームの左右にも固定する為、単にベビーカーのハンドル部に荷物を吊り下げた場合と違い、本発明のベビーカー用バッグはベビーカーに密着することになり、本発明のベビーカー用バッグを含むベビーカー全体の重心は、前方になり、またバッグが前後に揺れないので、ベビーカーが後方に転倒しにくい。【選択図】図３
2013180747.tif 000002
【特許請求の範囲】
【請求項１】
バッグをベビーカーのハンドル部に吊り下げると共に、プラスチック製のバックルによりベビーカー前下方部のフレームの左右にも固定するようにし、よって本発明のベビーカー用バッグはベビーカーに密着することになり、単にベビーカーのハンドル部に荷物を吊り下げる場合と違い、本発明のベビーカー用バッグを含むベビーカー全体の重心は、前方になり、またバッグが前後に揺れない為、ベビーカーが後方に転倒しにくいことを特徴としたベビーカー用バッグ。
【発明の詳細な説明】
【技術分野】
【０００１】  本発明は、ベビーカーに装着してもベビーカーが後方に転倒しにくいベビーカー用バッグに関する。
【背景技術】
【０００２】  従来のベビーカー用バッグは、ベビーカーのハンドル部に吊り下げるタイプで、且つ荷物がたくさん収容できないものが殆どであり、よって買物袋などの荷物をベビーカーのハンドル部に直接吊り下げることが多く、それらのケースでは荷物が重い場合や、荷物がそれほど重くなくても吊り下げたバッグや荷物が前後に揺れることにより、ベビーカーは後方に転倒しやすくなり危険である。【０００３】  また、ベビーカーのハンドル部に重い荷物を吊り下げたままベビーカーから子供を降ろすと、ベビーカーは後方に倒れてしまう可能性が高いので不都合が生じる。
【発明の概要】
【発明が解決しようとする課題】
【０００４】  本発明は、このような従来の製品が有していた問題を解決しようとするものであり、ベビーカーが後方に転倒しにくいベビーカー用バッグを提供することにある。
【課題を解決するための手段】
【０００５】  上記の目的を達成する為、本発明のベビーカー用バッグは、ベビーカーのハンドル部に吊り下げると共に、ベビーカー前下方部のフレームの左右にも固定し装着する。【０００６】  本発明のベビーカー用バッグはベビーカーの後方から前下方部のフレームに向かってに巻きつけるようにして装着する。【０００７】  上記の課題解決手段による作用は次のとおりである。本発明のベビーカー用バッグは、ベビーカーのハンドル部に吊り下げると共に、ベビーカー前下方部のフレームの左右に固定するようにしたため、単にベビーカーのハンドル部に荷物を吊り下げる場合と違い、本発明のベビーカー用バッグはベビーカーに密着することになり、本発明のベビーカー用バッグを含むベビーカー全体の重心は、前方になり、またバッグが前後に揺れることがないので、ベビーカーが後方に転倒しにくくなる。
【発明の効果】
【０００８】  ベビーカーを含めた全体の重心は、前方になり、且つバッグが前後に揺れることがないので、ベビーカーは後方に転倒しにくくなる。
【図面の簡単な説明】
【０００９】
【図１】本発明の全体図面
【図２】本発明をベビーカーに装着した状態の図面
【図３】本発明によりベビーカー全体の重心が前方になった図面
【図４】単にハンドル部に荷物を吊り下げている状態の図面
【発明を実施するための形態】
【００１０】  以下、各図面を参照しながら、本発明の実施形態を説明する。
【００１１】  図１は、本発明の全体図を示し、吊手Ａ、吊手Ｂ、吊手Ｃ並びに吊手Ｄによって、ベビーカーのハンドル部に吊り下げる。プラスチック製のバックルＡ及びバックルＢによって、ベビーカー前下方部のフレームの左右に固定する。
【００１２】  図２において、吊手Ａと吊手Ｂ、吊手Ｃと吊手Ｄ（または吊手Ａと吊手Ｃ、吊手Ｂと吊手Ｄの組み合わせで、）を適切な長さで結び、その結んだ部分をベビーカーのハンドル部に直接もしくはフックを介して吊り下げ、且つバックルＡ及びバックルＢによって、ベビーカー前下方部のフレームの左右に固定し、本発明をベビーカーに密着させるように装着する。
【００１３】  以下、上記構成の効果を説明する。本発明のベビーカー用バッグは、ベビーカーに装着する場合はバックルＡ及びバックルＢによって、ベビーカー前下方部のフレームの左右にも固定するので、図４のように単にベビーカーのハンドル部に荷物を吊り下げた場合と違い、本発明のベビーカー用バッグはベビーカーに密着することになり、図３のように本発明のベビーカー用バッグを含むベビーカー全体の重心は、前方になり、またバッグが前後に揺れないので、ベビーカーは後方に転倒しにくくなる。
【００１４】  また、本発明のベビーカー用バッグは、バックルＡ及びバックルＢをベビーカー前下方部のフレームの左右にも固定するので、単に荷物をベビーカーのハンドル部に吊り下げた場合と違い、バッグが前後に揺れないので、ベビーカーは後方に転倒しにくくなる。
【符号の説明】
【００１５】  １  吊手
２  バックル
３  重心の位置
【図１】
2013180747.tif 000003
【図２】
2013180747.tif 000004
【図３】
2013180747.tif 000005
【図４】
2013180747.tif 000006
(57)【要約】      （修正有）【課題】従来のステイオンタブを力の弱い人や爪の短い人にとって開け易くし、開栓前は落下物等によりスコアが破断して漏出することを防止し、開栓後は開口部の剥き出しをごみや虫等が混入する事を防止するようにする。【解決手段】天板１の開栓スコアを覆うように、回転可能にリベット３留めされたスコアカバータブ４によってスコアをカバーし落下物の衝撃をスコアに伝えない様にし、開栓時にはスコアカバータブ４を回転させる事でスロープ５によりスコアカバータブ４が持ち上がりストッパー６に当たり開栓位置にセットされる事で指を掛けやすくする。開栓後もスコアカバータブを回転させることによりスコアライン上を覆うことが出来るので、ごみ等の混入を防ぐ。【選択図】図１
2013180817.tif 000002
【特許請求の範囲】
【請求項１】
スコアラインのモウルドされた缶蓋のリベットを中心点とした円周上のスコアラインに掛からない位置に凸状のスコアカバー浮揚レールを設け、そのスコアカバー浮揚レールの一端を缶蓋と滑らかに接するスロープ状とし、もう一端を更に一段凸状に盛り上げスコアカバーストッパーを設け、スコアライン周辺の補強リブや缶蓋に表記した文字を凹モウルドにした缶蓋と、缶蓋のスコアラインの外側を蓋う大きさの蓋状に成型され缶縁側の端部には指掛け用の折り返しを設け、缶中央側をリベットにより回転可能に缶蓋に留められたスコアカバータブにより構成され、スコアカバー天面には文字や記号にてスコアカバータブを回転させる事を表記し、缶蓋には開栓スコア両脇にタブを起して戻すように文字や記号にて表記した缶蓋の発明である。
【発明の詳細な説明】
【技術分野】
【０００１】
本発明は、缶容器のスコアが開栓前に破断する事を防ぐ為のカバーを兼ねたプルタブ及び開栓レバーに関する発明である。
【背景技術】
【０００２】
従来使用されているステイオンタブ式の缶蓋においては、タブの一端とパネル部との隙間に指先を挿入し、タブの一端を引き上げることによってタブの他端が押し下げられ、パネル部に設けられた開口部切り込みを破断させ開口していた。しかしながら、従来のステイオンタブ式の缶蓋の開口は、タブの一端と缶蓋のパネル部の隙間が狭く、指先がわずかしか挿入できないため指先に力が入りにくく特に力の弱い高齢者、女性、子供には開け辛く、爪を傷めやすかった。
更に、スコアが剥き出しとなる為、落下物等の衝撃によりスコアが破断し内容物が漏れる事があった。又、開栓後に虫やごみ等が入る事があった。
【特許文献１】特開平７−１６５２３６号公報
【発明の開示】
【発明が解決しようとする課題】
【０００３】
解決しようとする問題点は、従来の缶蓋はスコアが剥き出しの為、輸送時の落下物等によってスコアが破断し、漏れる事による無駄があった。
【０００４】
また、開栓後も開口されたままとなり、ごみ等の混入に注意する必要が有った。
【課題を解決するための手段】
【０００５】
本発明は、上記の目的を達成する為に天板１の開栓スコア２を覆うように、回転可能にリベット３留めされたスコアカバータブ４によってスコアをカバーし落下物の衝撃をスコアに伝えない事を目的としている。
【発明の効果】
【０００６】
本発明は、開栓スコア２を覆うようにスコアカバータブ４を被せる事で未開栓時は落下物等による衝撃を防ぎ、開栓後はごみ等の混入を防ぐ缶蓋を提供する事が可能となる。
【０００７】
開栓時にはスコアカバータブ４を回転させる事でスロープ５によりスコアカバータブ４が持ち上がりストッパー６に当たり開栓位置にセットされる事で指を掛けやすくなる。
【産業上の利用可能性】
【０００８】
上記において説明したように本発明は容易に実施可能である。
【発明を実施するための最良の形態】
【０００９】
図１はスコアカバータブの開栓前上面図であり、図２は右側面図である。図３は左側面図であり図４は天板の上面図である。図５はスコアカバータブの三面図であり、図６はスコアカバータブa-a’断面図、図７はスコアカバータブb-b’断面図である。図８はスコアカバータブ回転時の側方断面図であり、図９は開栓時の側方断面図である。
【００１０】
以下、添付図面に従って本発明の実施の形態について説明する。
まず、スコアカバータブ４を天板１に回転可能な状態でリベット３留めされ、その際スコアカバータブ４はスコアライン２を覆う位置に設置される。
【００１１】
上記構成による天板１に設けられたスコアライン２が開口するまでの動作を説明すれば、まず、スコアカバータブ４スコアライン２を覆う位置に設置される状態を開栓前としスコアカバータブ４を押し出すようにリベット３を中心に回転させる。
【００１２】
これによってスコアカバータブ４が、スコアカバー浮揚レール７に乗り上げる形になり、スコアカバータブ４が浮揚し指掛け用切り欠き１２に指を掛けやすくなる。
【００１３】
その後スコアカバータブ４を引き起こし開栓する。
【図面の簡単な説明】
【００１４】
【図１】上面図
【図２】右側面図
【図３】左側面図
【図４】天板上面図
【図５】スコアカバータブ三面図
【図６】スコアカバータブａ−ａ´矢視断面図
【図７】スコアカバータブｂ−ｂ´矢視断面図
【図８】スコアカバータブ回転時断面図
【図９】スコアカバータブ開栓時断面図
【符号の説明】
【００１５】
１    天板
２    スコア
３    リベット
４    スコアカバータブ
５    スロープ
６    スコアカバーストッパー
７    スコアカバー浮揚レール
８    指掛け用窪み
９    リベット用穴
１０    タブ表記
１１    缶蓋表記
１２    補強リブ凹
１３    スコアカバータブ補強用折り返し
１４    指掛け用折り返し
【図１】
2013180817.tif 000003
【図２】
2013180817.tif 000004
【図３】
2013180817.tif 000005
【図４】
2013180817.tif 000006
【図５】
2013180817.tif 000007
【図６】
2013180817.tif 000008
【図７】
2013180817.tif 000009
【図８】
2013180817.tif 000010
【図９】
2013180817.tif 000011
【手続補正書】
【提出日】平成24年4月1日(2012.4.1)
【手続補正１】
【補正対象書類名】図面
【補正対象項目名】図４
【補正方法】変更
【補正の内容】
【図４】
2013180817.tif 000012
(57)【要約】      （修正有）【課題】エコエネルギーを必要とされる昨今、太陽パネルによるエネルギーだけでなく住宅でより多くの電気を発電するために、ただ流されるだけだった排水を利用する水力発電装置を提供する。さらに、従来のパイプによる水力発電は発電機がパイプの外に設置され、規模が大きく住宅の配管には不向きの所があった点を改良する。【解決手段】住宅用配管の排水パイプ１の内部に発電モーター２の軸３に取り付けた水車４を設置し、パイプ上流側に水流を案内する水受け５を付け、何個でも連結でき、縦でも横にも配管接続できるように構成する。【選択図】図２
2013024190.tif 000002
【特許請求の範囲】
【請求項１】
排水パイプ（１）の内部に発電モーター（２）を設置し、軸（３）に水車（４）を付け、パイプ上流に水受け（５）を設け連結でき、より多くの発電を発生できる排水パイプ
【発明の詳細な説明】
【技術分野】
【０００１】
この発明は、住宅用配管の排水パイプによる水力発電に関するものである
【背景技術】
【０００２】
従来、住宅の排水パイプで水力発電するものは無かった。
【先行技術文献】
【特許文献】
【０００３】
【特許文献１】国際公開WO９９／０６７５３１
【発明の概要】
【発明が解決しようとする課題】
【０００４】
これは、次のような欠点があった。
従来、パイプによる水力発電は発電機がパイプの外に設置され規模が大きく、住宅の配管には不向きの所がある。本発明は、以上のような欠点を無くすためになされたものである。
【課題を解決するための手段】
【０００５】
パイプ（１）の中に発電モーター（２）と水車（４）を設ける。本発明は、以上の構成によりなる住宅用排水発電である。
【発明の効果】
【０００６】
外観は今まで使用しているパイプと変わらないので流れる向きを見て、立て横に配管でき、何個でも連結すればより多くの発電することが出来る
【図面の簡単な説明】
【０００７】
【図１】本発明の正面全体図  （下流から）
【図２】本発明の側面断面図
【発明を実施するための形態】
【０００８】
以下、本発明を実施するための形態について説明する。
パイプ（１）内部の中央に発電モーター（２）を固定しその軸（３）に水車（４）をつけ、上流側に水受け（５）を設ける。  本発明は、以上のような構造である。
これを使用するときは、排水が水車を回し水位が上がると水受けに当たり水位を一定に流して発電する。
【符号の説明】
【０００９】
１    パイプ
２    発電モーター
３    軸
４    水車
５    水受け
【図１】
2013024190.tif 000003
【図２】
2013024190.tif 000004
(57)【要約】      （修正有）【課題】配線スペースが多く確保でき、耐震荷重強度が高く、施工が容易である合成樹脂性のシステムフロアを提供する。【解決手段】システムフロア１は従来一個のフロアマット２を２５等分したパーツを組み合わせてなり、それぞれのパーツの構造が同一でシステムフロア１とフロアマット２のそれぞれの中心に凸凹の加工がなされシステムフロア１の凸部をフロアマット２に施された凹部に差し込むことで連結される。２５個に分割したことでそれぞれのパーツに配線スペース3を有することができた。パーツ化されているので加工が容易になり、作業も楽である。【選択図】図１
2013024021.tif 000002
【特許請求の範囲】
【請求項１】
合成樹脂製のシステムフロアで２５個のパーツで構成されている。システムフロアの中央に凸部がありフロアマットの中央に凹部がある。凸部が凹部に挿入されることによって連結がなされる。本来１個のシステムフロアを２５個のパーツに細分化したことで耐荷重ならびに配線スペースの容量も増す。又、施工が容易であることを特徴とする合成樹脂製のシステムフロア。
【発明の詳細な説明】
【技術分野】
【０００１】  本発明は、システムフロアに関するものである。
【背景技術】
【０００２】  システムフロアの部材については、コンクリートや金属ならびに樹脂などの素材が使用されているが、コンクリートや金属などの素材でできた物は耐荷重強度に優れモノレール等の架台の上に敷き詰めて使用している。床下に充分な配線スペースが作れるのが特徴である。樹脂を素材にした物はコストが安価であるが、耐荷重強度が低くモノレール等の架台に敷き詰めるなどの仕様はできない。その為、樹脂を素材にしたシステムフロアでは内部に配線スペースを加工して製作し、床に直接敷き詰めて使用している。既存のシステムフロアでは配線スペースが限られる他、配線スペース上部の耐荷重強度が低くなる。
当該システムフロアでは、作業の容易性や耐荷重ならびに配線スペースの容量が重要になるが、当該システムフロアでは配線スペースが飛躍的に多く、加工が容易なことが重要である。
【先行技術文献】
【特許文献】
【０００３】
【特許文献】実開５−６１３４０号公報、特開平１０−２３８０８４号公報、特開２００３−２１３９１２号公報、特開２００３−２４７３３１号公報、特開２００７−７７７７０号公報、特開２００９−１４４３７８公報、特開２００９−１２７３６２号公報
【発明の開示】
【発明が解決しょうとする課題】
【０００４】  本発明は、上記従来技術の有する欠点を解消しつつ上記各種要請に応えることができる新規な技術を提供することを目的としたものである。
本発明の他の目的や新規な特徴については本件明細書及び図面の記載からも明らかになるであろう。
【課題を解決するための手段】
【０００５】  本発明は樹脂製のシステムフロアの欠点を解消することを目的としたものであるが、樹脂製のシステムフロアは材質の強度の問題で架台に乗せて使用することができないために直接床の上に敷設して使用した。そのために配線スペースはシステムフロアの製品の構造に影響を及ぼした。配線スペースを広く取るとその部分の耐荷重強度が下がった。
本発明のシステムフロアでは従来１個だったシステムフロアを２５分割し、それぞれをパーツ化した。例えば一つのパーツとしては２５個に細分化されたシステムフロアとフロアマットで構成される。システムフロアの中心に凸の形をした突起部を儲けフロアマットの凹部にそれが差し込まれることによってロックされる。また台座部以外は配線スペースになっているので配線容量は充分に確保できる。それぞれがパーツ化しているのでシステムフロア自身の耐荷重も確保できる。
【発明の効果】
【０００６】  本発明によれば、工事の容易さ並びに耐荷重強度の確保と配線スペースの容量を高めるために従来は１個だった物を２５個のパーツに分けた。それぞれが配線スペースを有することで配線スペースの容量を増やした。
【発明を実施するための最良の形態】
【０００７】  次に、本発明の実施例を図面を参照しつつ説明する。
【実施例】
【０００８】  図１に示すように、本発明のシステムフロアでは、合成樹脂製のフロアマット２のパーツにシステムフロア１のパーツを差し込むことで連結する。システムフロア１の突起部とフロアマット２の軸受け溝５によって連結される。従来では１個だったシステムフロアを２５個のパーツに分割したことでシステムフロアの配線スペースの容量が格段に上がった。また細分化したことで耐荷重強度も均一になった。【０００９】  図２で示すように、フロアマット２のそれぞれのパーツの中央には図１に示すシステムフロア１の突起部４を受けるための軸受け溝５が設けられている。又、フロアマット２の四隅と中央にはフロアマット台座部９が設けられている。又、フロアマット同士は連結部材１０により連結される。【００１０】  図３に示すように、システムフロア１には配線溝６が設けられシステムフロア１の中央にはスクリュードライバーなどでシステムフロア１を取り外すときに使用するための操作溝７が掘ってある。システムフロア１の中央と四隅にはシステムフロア台座部８が設けられ、突起部４の先端の球には十文字の切込が施されている。又、中央と四隅のシステムフロア台座部８以外は配線スペース３になっている。【００１１】  図４に示すように、フロアマット２の中央と四隅にはフロアマット台座部９があり、フロアマット２の中央の対角線上には窪みが施され、そこに連結部材１０がパズルのようにはめ込まれることでフロアマット２同士が連結される。又、フロアマット２の台座中央に施された軸受け溝５の溝は凸型でシステムフロア１の突起部４の球体が入ると連結する。フロアマット２の中央と四隅の台座部９以外は配線スペース３になっている。【００１２】  本発明は上記実施例に限定されず、適宣変更が可能である。例えば、パーツの大きさを変えたり配線スペースの容量を変更したり、又は軸足の大きさを大きくして強度を高める形態でもよい。【００１３】  本発明は、各種の素材のシステムフロアに適用できる。合成樹脂製の部材の材質としてガラス樹脂強化プラスチック（ＧＦＲＰ）もしくは炭素樹脂強化複合材料（ＣＦＲＰ）を使用してもよい。
【図面の簡単な説明】
【００１４】
【図１】図１は、本発明の実施例を示すシステムフロアの立面図と平面図である。
【図２】図２は、本発明の実施例を示すシステムフロアのフロアマットの立面図と側面図ならびに平面図である。
【図３】図３は、本発明の実施例を示すシステムフロアの立面図と側面図ならびに平面図である。
【図４】図４は、本発明の実施例を示すシステムフロアの立面図と側面図ならびに平面図である。
【００１５】１  …システムフロア
２  …フロアマット
３  …配線スペース
４  …突起部
５  …軸受け溝
６  …配線溝
７  …操作溝
８  …システムフロア台座部
９  …フロアマット台座部
１０…連結部材
【図１】
2013024021.tif 000003
【図２】
2013024021.tif 000004
【図３】
2013024021.tif 000005
【図４】
2013024021.tif 000006
(57)【要約】【課題】二枚のスタンドが土のう袋を開口及び保持する土のう袋保持スタンドを提供する。【解決手段】アームからなる二枚のスタンドを設け、そのスタンドに支柱軸と軸穴を介し左右に開閉折り畳み機能を設け、支柱軸の一部に差しこみ棒を受ける中空軸を設けたことを特徴とする土のう袋保持スタンド。【選択図】図３
2013024025.tif 000002
【特許請求の範囲】
【請求項１】
アームからなる二枚のスタンドを設け、そのスタンドに支柱軸と軸穴を介し左右に開閉折り畳み機能を設け、支柱軸の一部に差しこみ棒を受ける中空軸を設けたことを特徴とする土のう袋保持スタンド。
【発明の詳細な説明】
【技術分野】
【０００１】本発明は、土のう袋の開口及び袋を保持する土のう袋に関するものである。
【背景技術】
【０００２】従来、一人で土のう袋に土等を入れる作業は片手で袋の口をあけながら作業していた。
【発明の開示】
【発明が解決しようとする課題】
【０００３】そのために、次のような問題点があった。
（イ）一人で土のう袋に土等を入れる作業は片手で袋の口を開き片方の手で土などを入れる作業は捗らなかった。
本発明は、これらの問題点を解決するためになされたものである。
【課題を解決するための手段】
【０００４】アームからなる二枚のスタンドを設け、そのスタンドに支柱軸と軸穴を介し左右に開閉折り畳み機能を設け、支柱軸の一部に差しこみ棒を受ける中空軸を設けたことを特徴とする土のう袋保持スタンドである。
【発明の効果】
【０００５】左右に開いた二枚のスタンドが袋の開口保ち、同時にスタンドが袋を保持することができる。土のう袋の作業が一人で楽にでき仕事が捗る。
【発明を実施するための最良の形態】
【０００６】以下、本発明の実施の形態について説明する。
（イ）アームからなるスタンドを二枚設ける。
（ロ）二枚のスタンドを折り畳み可能にする支柱軸（１）と、軸（３）を設ける。
（ハ）支柱軸に軟弱地面対応のスタンド転倒防止用差し込み式の差し込み棒（５）を受ける中空軸（６）を設ける。
本発明は、以上のような構成で、これを使用するときは、二枚のスタンドをストッパーの当たりまで左右に開き、地面に置き土のう袋の開口の渕を左右のアームに上から被せることにより土のう袋が開口した状態で袋がスタンドに保持される。軟弱な地面では差し込み棒を地中に差し込みスタンドを安定させる。袋がスタンドにより開口した状態で保持され一人で袋に土入れでき仕事が捗る。
【実施例１】
【０００７】図３に示すように開いたスタンドにより、土のう袋の口が開、土のう袋がスタンドにより保持され一人で袋詰めできる。
【図面の簡単な説明】
【０００８】
【図１】本発明の斜視図
【図２】本発明のスタンドを開き土のう袋の開口をアームに被せることにより土のう袋の口が開いている状態を示す平面図
【図３】本発明のスタンドに土のう袋が装着され袋の口が開き、土のう袋が保持されている状態示す斜視図
【符号の説明】
【０００９】１  支柱軸
２  アーム
３  軸
４  スタンド
５  差し込み棒
６  中空軸
７  ストッパー
【図１】
2013024025.tif 000003
【図２】
2013024025.tif 000004
【図３】
2013024025.tif 000005
(57)【要約】【課題】屋内天井面に於いて、必要となる設備の照明設備と点検口を一体化したＬＥＤ照明付き点検口とし環境機器又省エネルギー対策としての目的を目指す。【解決手段】点検口アルミベース１は、４本の枠が正方形状に構成する。この際４本の枠はＬアングル８によって合致され、前記点検口アルミベース１にはそれぞれＬＥＤ基板４が取付けられ正方形の照明が形成され同様にＬＥＤ基板４をカバーするレンズカバー５も点検口枠アルミベース１に取付けられる。前記レンズカバー５はレンズストッパー１０に固定され落下の危険は無い。点検口アルミベース１は、取付けネジ３で天井ボード２に取付け、点検口開口部９は点検口化粧パネル７により塞がれるが、パネル固定ネジ６により取外しが出来、点検口と、ＬＥＤ照明機器両方の実施が出来る。【選択図】図２
2013024027.tif 000002
【特許請求の範囲】
【請求項１】
屋内天井に設ける点検口において、天井ボードに取付け固定する点検口枠部に、ＬＥＤ照明を設けたことを特徴とする屋内点検設備の点検口。
【請求項２】
点検口内部の際の入出は、ＬＥＤ照明枠内を点検口の入口とし容易に取付け、取外しを可能にしたことを特徴とする請求項１記載の屋内点検口設備の点検口。
【発明の詳細な説明】
【技術分野】
【０００１】本発明は、屋内天井に設ける点検口に関するものである。
【背景技術】
【０００２】建築屋内に於いて、特に電気配線工事は天井内部で行われ、敷設工事終了後に天井ボード等により塞がれる。しかし敷設後、メンテナンス、修理、管理等に対応出来る様、天井の一部に、天井内部に出入り出来るよう点検口を設けるのが一般的である。
【発明の開示】
【発明が解決しようとする課題】
【０００３】天井等に敷設する照明設備は、屋内の空間、形態、インテリア性等が重視される為、天井への取付けが優先され、当該照明設備の天井への設置後、点検口取付け位置が決まる為、点検口を設ける位置は天井の角等が多くなっている。【０００４】又必要設備の点検口とはいえ、天井面の照明設備の配置やデザイン、インテリアとして美観的に不自然な場合も出てくる。出来れば天井面に、当該点検口は無く照明設備のみの方が無駄なく快適である。
【課題を解決する手段】
【０００５】本発明は、天井面への設備工事、設備用品の削減を図り、天井面に必要な設備の照明設備と点検口を一体化し照明機能を有する点検口を具現化するものである。
【０００６】前記した、当該点検口を１フロアーに１つ設けることにより設備費用面の削減が図れ、特定位置に点検口設ける必要も無く、照明設備の一部として当該点検口枠に照明機器として、ＬＥＤを設けるため、省エネルギー、長寿命、低発熱が実現出来る。
【発明の効果】
【０００７】点検口と照明を一体化し、フロアーの美観を十分に保ち、ＬＥＤを照明に使用することによる省エネ等の効率化が効果的に図れる。
【図面の簡単な説明】
【０００８】
【図１】ＬＥＤ照明付き点検口正面図。
【図２】ＬＥＤ照明付き点検口ＡＡ断面図。
【発明を実施するための形態】
【０００９】本発明は、天井面への設備工事、設備用品の削減を図り、天井面に必要な設備の照明設備と点検口を一体化し、照明機能を有する点検口を実現したものである。
【実施例】
【００１０】本発明の実施例を図１〜図２に依って説明する。
点検口の天井面開口部は正方形の孔で工事されるため、点検口アルミベース１は、４本の枠が正方形状に構成する。この際４本の枠はＬアングル８によって合致される。【００１１】又前記点検口アルミベース１にはそれぞれＬＥＤ基板４が取付けられ正方形の照明が構成される。同様にＬＥＤ基板４をカバーするレンズカバー５も点検口枠アルミベース１に取付けられる。又前記レンズカバー５はレンズストッパー１０に固定され落下の危険は無い。【００１２】点検口アルミベース１は、取付けネジ３で天井ボード２に取付け、点検口開口部９は点検口化粧パネル７により塞がれるが、パネル固定ネジ６により取外しが出来る。【００１３】以上の様に点検口と、ＬＥＤ照明機器両方の実施が出来る。
【符号の説明】
【００１４】１：点検口アルミベース
２：天井ボード
３：取付けネジ
４：ＬＥＤ基板
５：レンズカバー
６：パネル固定ネジ
７：点検口化粧パネル
８：Ｌアングル
９：点検口開口部
１０：レンズストッパー
【図１】
2013024027.tif 000003
【図２】
2013024027.tif 000004
(57)【要約】【課題】  本発明は、刷り減った敷居、鴨居の溝を補修することと、建具の上下のいずれかに貼り付けて滑りを良くするための刷り減った敷居、鴨居の補修部材を提供する。【解決手段】  敷居、鴨居、建具において、プラシック成型補修部材（１）に、（２）接着剤（３）を貼り、プラシック成型補修部材（１）の表面に上面部（２）に、（３）接着剤（４）接着剤保護テープを設けたことを特徴とする刷り減った敷居、鴨居、建具の補修部材。【選択図】図１
2013024019.tif 000002
【特許請求の範囲】
【請求項１】
敷居、鴨居、建具において、プラシック成型補修部材（１）の表面部（２）に上面（３）、接着剤（３）を貼り、プラシック成型補修部材（１）の表面に（２）上面部、（３）接着剤（４）接着剤保護テープを設けたことを特徴とする刷り減った敷居、建具の補修部材。
【発明の詳細な説明】
【技術分野】
【０００１】  本発明は、刷り減った敷居、鴨居の溝を補修することと、建具の滑りを良くするための刷り減った敷居、鴨居と刷り減った建具の補修材に関するものである。
【背景技術】
【０００２】  従来、磨り減った建具の開閉が溝の磨耗に依り、または、建具の歪みに因る、揺さぶったり、がたがたさせながらの開閉だった。
【発明の概要】
【発明を解決しようとする課題】
【０００３】  そのために、次のような問題点があった。
敷居、鴨居の溝の補修は出来にくかった。
本発明は、これらの問題を解決するためになされたものである。
【課題を解決するための手段】
【０００５】  建具の敷居、鴨居、建具において、プラシック成型補修部材（１）に（２）の表面の上面に、接着剤（３）を貼り、（４）接着材保護テ−プを設ける。以上のように構成された敷居、鴨居、建具の補修材である。
【発明の効果】
【０００６】（イ）スム−ズに開閉ができる。
（ロ）取り付けが簡単にできる。
（ハ）取り付けには、釘、ビョウ等、使用しない。
（ニ）開閉時のストレスがなくなる。
（ホ）滑りが良くなる。
【図面の簡単な説明】
【０００７】
【図１】  本発明の斜視図である。
【図２】  本発明横から見た説明図である。
【図３】  本発明の使用状態を示した説明図である。
【発明を実施するための形態】
【０００８】  本発明の実施の形態について説明する。
敷居、鴨居、建具において、プラシック成型補修部材（１）に（２）上面に接着剤（３）を貼り、（４）保護テープをつけた成型補修部材（１）の表面に（２）上面部（３）、接着剤（４）接着剤保護テープを設ける。
本発明は以上のような構成である。
本発明の使い方を説明する。
建具の敷居、鴨居の溝にはめる部材射出成型で成型を行い、はめ込み当たりを試して接着材の保護テープをとり、貼り付ける。
擦り減った敷居、鴨居の溝、建具の上下にプラシックで成型を設けたものである。
【符号の説明】
【０００９】    １  補修部材、２  上面部、３  接着剤、４  接着剤保護テープ
【図１】
2013024019.tif 000003
【図２】
2013024019.tif 000004
【図３】
2013024019.tif 000005
(57)【要約】【課題】配管上の地表から配管より漏水した漏水音を検出して漏水箇所を特定する聴音式漏水探索では、配水管の材質及び埋設震度により漏水音の伝播性・聴音性が異なり、特に低水圧もしくは電気縁性素材の配管では探索域の騒音が加わり漏水検索が至難である。【解決手段】電気絶縁性素材管の電気絶縁性を生かし、高電圧の直流電流を配管内の電気流動性のある液体に流し、漏水箇所から同液体とともに流出する高電圧による地表面における表層電流の方向性を感知して漏水箇所をピンポイントで検出する【選択図】図１
2013024849.tif 000002
【特許請求の範囲】
【請求項１】
電気絶縁性素材の配水管等の漏水探索において、高電圧の直流電流を配管内に流し漏水箇所から水とともに流出する高電圧による地表における表層電流の方向性を感知して漏水箇所を検出する漏水探索装置。
【発明の詳細な説明】
【技術分野】
【０００１】本発明は、地中及び構造物に施設された給排水管の漏水の有無及び漏水箇所の検索を目的とする技術分野である。
【背景技術】
【０００２】配管上の地表から配管より漏水した漏水音を検出して漏水箇所を特定する聴音式であり配水管の材質及び埋設深度により漏水音の伝播性・聴音性の差が大きく、特に低水圧もしくは電気絶縁性素材の配管では漏水検索が至難である。【０００３】  聴音式探索では、埋設深度が一定でなく漏水音の伝播性が悪い地方水道や農業用水の漏水探索は至難である。【０００４】  聴音式探索では、電気絶縁性素材管で低水圧の漏水は漏水音の検出は至難である。【０００５】  聴音式探索では、電気絶縁性素材管の直上を聴音するため事前に配管路の探索が必要となり非能率である。【０００６】  聴音式探索では、漏水探索域の騒音による漏水音の判別が至難である。
【発明の概要】
【発明が解決しようとする課題】
【０００７】  本発明は、電気絶縁性素材管の電気絶縁性を生かして、高電圧の直流電流を配管内の電気伝導性のある液体に流し、漏水箇所から同液体とともに流出する高電圧による地表面における表層電流の方向性を感知して漏水箇所をピンポイントで検出する手段である。
【課題を解決するための手段】
【０００８】  「直流高電圧発生機（１）」で発生したプラスの高圧直流を「正極ケーブル（２）」を介して「高圧注入点（３）」から「電気絶縁性素材管（７）」の管路上で管内の「電導液体に接する金属体（６）」に流す。
「直流高電圧発生機（１）」負極は「接地ケーブル（４）」を介して漏水探査方向の「アース（５）」に接続する。【０００９】  「電気絶縁性素材管（７）」の絶縁特性により対地間と電気的に遮断された「導液体内の電流（８）」は「漏水点（９）」から漏れる液体とともに「地中放射電流（１０）」を対地間に放出する。
「地中放射電流（１０）」は直近の地表面に「地表放射電流起点（１１）」を形成し「漏水点地表放射電流（１２）」を地表の全方向に放出する。同様に「高圧注入点（３）」の「電導液体に接する金属体（６）」からも「高圧注入点地表放射電流（１４）」が発生する。【００１０】  「地表電流測定機（１３）」は、地表の２点間の電位を計測する装置で地表より電気伝導率の低いフレーム内を通過する電流の方向と強度を示すメータを所持し、「漏水点地表放射電流（１２）」と「高圧注入点地表放射電流（１４）」の方向と強度を測定する。【００１１】  「高圧注入点（３）」付近では「高圧注入点地表放射電流（１４）」を「地表電流測定機（１３）」が検知することでアース方向の電流方向を示すが、「高圧注入点地表放射電流（１４）」は距離とともに減衰し、「漏水点地表放射電流起点（１１）」に近づくと「地表電流測定機（１５）」が逆向きの「漏水点地表放射電流（１２）」を検知し電流値も増加する。
漏水点を超えると「地表電流受信機はアース方向を示し（１６）」アース側の「漏水点地表放射電流（１２）」を検知する。
「中心点を示す地表電流測定機（１７）」は、「漏水点地表放射電流（１２）」を検知し配管と直角方向の「漏水点中立線（１８）」を検出する。【００１２】  「アース方向左９０°に位置する地表電流測定機（１９）」は「漏水点中立線（１８）」を「漏水点地表放射電流起点（１１）」から放出される「漏水点地表放射電流（１２）」を検知して「漏水点地表放射電流起点（１１）」に近づくにつれ電流値が増加する。
「漏水点中立線（１８）」上の「漏水点地表放射電流起点（１１）」を地表電流測定機が通過すると「アース方向右９０°に位置する地表電流測定機（２０）」は反対方向の電流を示す。
「漏水箇所中立に位置する地表電流測定機（２１）」は全方向に電流の無方向性を示す「漏水点地表放射電流起点（１１）」上であることを示し漏水箇所の直上であることを示す。【００１３】  「電流境界点中心に位置する地表電流測定機（２２）」は「高圧注入点地表放射電流（１４）」と「漏水点地表放射電流（１２）」の境界である「境界線（２３）」を検出できる。
「アース方向に位置する地表電流測定機（２４）」は「漏水点地表放射電流起点（１１）」を通過して「漏水点地表放射電流（１２）」が減衰し漏水箇所から離れたことを示す。
【発明の効果】
【００１４】  音の伝播性が低い樹脂管の漏水が検出できる。【００１５】  音の伝播性が低いゴムリング継ぎ手の樹脂管も対応できる。【００１６】  事前の配管路探索が必要ない。【００１７】  水圧の低い配管や自然流下管にも対応できる。【００１８】  路面の種類を選ばず対応できる。【００１９】  漏水音の聞き分けができる熟練作業員が不要となる。【００２０】  探索域の騒音に影響されない。【００２１】  管径を選ばず排水管にも対応できる。
【図面の簡単な説明】
【００２２】
【図１】図１は、本発明の高電位漏水探索装置の概要を示す説明図である。
【図２】図２は、高電位漏水探索装置設置状態における地表放射電流の全方向性を示す説明図である。
【図３】図３は、地表電流受信機の位置と配管上の地表電流の方向を示す説明図である。
【符号の説明】
【００２３】  １．直流高電圧発生機
２．正極ケーブル
３．高圧注入点
４．接地ケーブル
５．アース
６．電導液体に接する金属体
７．電気絶縁性素材管
８．流体内の電流方向
９．漏水箇所
１０．漏水点地中放射電流
１１．地表放射電流起点
１２．漏水点地表放射電流
１３．地表電流測定機
１４．高圧注入点地表放射電流
１５．高圧発生装置方向の地表電流測定機
１６．アース方向を示す地表電流測定機
１７．漏水点中立に位置する地表電流測定機
１８．漏水点中立線
１９．アース方向左９０°に位置する地表電流測定機
２０．アース方向右９０°に位置する放射電流
２１．漏水箇所中立に位置する地表電流測定機
２２．電流境界点中心に位置する地表電流測定機
２３．境界線
２４．アース方向に位置する地表電流測定機
【図１】
2013024849.tif 000003
【図２】
2013024849.tif 000004
【図３】
2013024849.tif 000005
(57)【要約】【課題】温水を簡単な構成で効率良く加熱することが出来る温水装置を提供する。【解決手段】下部に備えた燃焼バーナ１と、該燃焼バーナ１の上部に備えられ燃焼バーナ１の燃焼熱を受けて赤熱するバッフル筒３と、このバッフル筒３を囲うように燃焼バーナ１上に立設し、内方に貯留した水を加熱してお湯を造る中空円筒状の温水缶体２と、該温水缶体２の外周全体に密着し、断熱材５と温水缶体２とで形成された排気経路６に平行に備えられた複数個のアルミフィン４とを備えたので、無駄がなく効率の良い温水加熱が行えるものである。【選択図】図１
2013024530.tif 000002
【特許請求の範囲】
【請求項１】
下部に備えた燃焼バーナと、該燃焼バーナの上部に備えられ燃焼バーナの燃焼熱を受けて赤熱するバッフル筒と、このバッフル筒を囲うように燃焼バーナ上に立設し、内方に貯留した水を加熱してお湯を造る中空円筒状の温水缶体と、該温水缶体の外周全体に密着し、断熱材と温水缶体とで形成された排気経路に平行に備えられた複数個のアルミフィンとを備えた事を特徴とする温水装置。
【発明の詳細な説明】
【技術分野】
【０００１】
この発明は、燃焼バーナの燃焼熱を効率良く利用して、温水缶体内の温水を沸き上げて給湯や温水暖房に使用する温水装置に関するものである。
【背景技術】
【０００２】
従来よりこの種のものに於いては、下端に燃焼バーナを備えた中空円筒状のアルミ本体を設け、このアルミ本体の内側には複数の受熱フィンを一体に形成し、更にアルミ本体の外周には冷媒が流通する銅管を巻き付けたことにより、燃焼バーナの燃焼熱を受熱フィンで効率良く受熱し、アルミ本体外周の銅管内を流通する冷媒を良好に加熱することが出来るものであった。（特許文献１参照）
【先行技術文献】
【特許文献】
【０００３】
【特許文献１】特許第３３６８７７３号公報
【発明の概要】
【発明が解決しようとする課題】
【０００４】
ところでこの従来のものでは、燃焼バーナと受熱フィンとが直接対比しているので、燃焼バーナの状況によっては、受熱フィンに火炎が直接当たったり、銅管内に冷媒の流通がない空焚きの状態では、アルミの受熱フィンが溶解して破損してしまう危険を有するものであった。
【課題を解決するための手段】
【０００５】
この発明はこの点に着目し上記課題を解決する為に、特にその構成を、下部に備えた燃焼バーナと、該燃焼バーナの上部に備えられ燃焼バーナの燃焼熱を受けて赤熱するバッフル筒と、このバッフル筒を囲うように燃焼バーナ上に立設し、内方に貯留した水を加熱してお湯を造る中空円筒状の温水缶体と、該温水缶体の外周全体に密着し、断熱材と温水缶体とで形成された排気経路に平行に備えられた複数個のアルミフィンとを備えたものである。
【発明の効果】
【０００６】
以上のようにこの発明によれば、受熱用のアルミフィンが温水缶体を隔てた排気経路に備えられているので、燃焼バーナの状況が変化しても火炎が直接当たることがなく、又温水缶体が空焚となつてもアルミフィンは排気経路にあり温度上昇しても溶解することはなく、安心して使用出来るものであり、更にフィンを介しての間接的な受熱ではなく、温水缶体が直接燃焼熱を受熱し、しかも排気経路のアルミフィンによって排気熱も受熱するので、極めて効率良く無駄なく受熱することが出来るものである。
【図面の簡単な説明】
【０００７】
【図１】この発明の一実施形態を付した温水装置の概略構成図。
【図２】同水平断面図。
【発明を実施するための形態】
【０００８】
次にこの発明の一実施形態の温水装置を図面に基づいて説明する。
１は石油ガス化方式で火炎を上方へ噴き出す燃焼バーナで、中空円筒状の温水缶体２の下部に備えられ、中空部分内に火炎が形成されるようにしており、更にこの中空部分の上部には円筒状のバッフル筒３が上方から垂下して設けられ、燃焼バーナ１の燃焼熱によりバッフル筒３が赤熱して温水缶体２を更に良好に加熱するものである。
【０００９】
４は鋼製の温水缶体２外周に密着して備えられたアルミニューム製の複数個のアルミフィンで、温水缶体２と該温水缶体２の外周を覆う断熱材５との間隔で形成した排気経路６内に備えられ、温水缶体２の中央上部の放出口７から放出される排気ガスが排気経路６を通って、断熱材５下方の排気口８から排気されるまでの間に、排気ガスから受熱して温水缶体２を加熱するようにしたものである。
【００１０】
９は市水から温水缶体２の上部に水道水を給水する給水管であり、１０は温水缶体２内の所定温度に加熱された温水を、所定箇所に設置された給湯栓（図示せず）の開栓で給湯として供給する給湯管である。
【００１１】
次にこの一実施形態の作動について説明する。
今燃焼バーナ１を燃焼開始させることで、バッフル筒３が燃焼熱で加熱されて赤熱状態となり、燃焼熱と共に温水缶体２を加熱して中の給水を所定温度の温水まで加熱する。
【００１２】
更にバッフル筒３を加熱後の燃焼熱は、放出口７から排気ガスとなって排気経路６を流通することで、温水缶体２の外周に放射状に形成された複数個のアルミフィン４が、排気ガスの熱を受熱して、温水缶体２を外側からも加熱し、燃焼熱による内側からの加熱と排気ガスによる外側からの加熱により、温水缶体２は十分加熱され中の温水を瞬時に所定温度まで加熱することが出来、常に良好な給湯を得ることが出来るものであり、熱を奪われ温度低下した排気ガスは断熱材５下方の排気口８から排気されるものである。
【００１３】
このように中空円筒状の温水缶体２の内側に燃焼バーナ１を備え、温水缶体２の外周には複数個のアルミフィン４を密着させて設けたことで、燃焼熱を効率良く受熱出来ると共に、排気ガスの熱を無駄に捨てることなく、アルミフィン４で受熱して温水缶体２に還元して温水を加熱するので、簡単な構成でありながら無駄がなく、極めて効率良く温水を加熱出来、使用勝手が良いものである。
【符号の説明】
【００１４】
１  燃焼バーナ
２  温水缶体
３  バッフル筒
４  アルミフィン
５  断熱材
６  排気経路
【図１】
2013024530.tif 000003
【図２】
2013024530.tif 000004